(57)【要約】【課題】並設された床構造部材２，２間に建築用断熱板１を嵌め込み設置するに際し、床構造部材２，２の太さに拘わらず、建築用断熱板１の上面位置と床構造部材２，２の上面位置とを容易に揃えることができるようにする。【解決手段】嵌め込み設置する床構造部材２，２間の間隔と同等の幅を有する合成樹脂発泡板を、中央部分である中央主材部３と、幅方向に対向する両側縁部である受け材部４，４とに、斜め内向きの切り込みで分離した建築用断熱板１とし、受け材部４，４を、対向する床構造部材２，２の側面に取り付け、この床構造部材２，２に取り付けた受け材部４，４間に、中央主材部３を、前記切り込みによる受け材部４，４の切断面６，６と中央主材部３の切断面５，５とを重ねて設置できるようにする。【選択図】  図５
2010043423.tif 000002
【特許請求の範囲】
【請求項１】
建物の並設された床構造部材間に嵌め込み設置される建築用断熱板において、嵌め込み設置する床構造部材間の間隔と同等の幅を有する合成樹脂発泡板で構成されていると共に、幅方向に対向する両側縁部である受け材部と、中央部分である中央主材部とに、それぞれ、両者を分離する切り込み又は分離可能とする切り込みによる切断面が形成されており、この切断面が、それぞれ、中央主材部の下面の幅を上面の幅より狭くし、両受け材部の上面の幅を下面の幅より狭くする斜面状又は段状をなすことを特徴とする建築用断熱板。
【請求項２】
建物の並設された床構造部材間に建築用断熱板を嵌め込み設置した床断熱構造において、請求項１に記載の建築用断熱板の中央主材部と分離した両受け材部が、下面より幅の狭い上面を上側にし、上面位置を床構造部材の上面位置に揃え、切断面同士を向き合わせて、対向する床構造部材にそれぞれ取り付けられており、この床構造部材に取り付けられ受け材部間に、上面より幅の狭い下面を下側にした中央主材部が、受け材部の切断面に中央主材部の切断面を重ねて支持されていることを特徴とする床断熱構造。
【請求項３】
建物の並設された床構造部材間に建築用断熱板を嵌め込み設置する床断熱構造の形成方法において、請求項１に記載の建築用断熱板の中央主材部と分離した両受け材部を、下面より幅の狭い上面を上側にし、上面位置を床構造部材の上面位置に揃え、切断面同士を向き合わせて、対向する床構造部材にそれぞれ取り付け、この床構造部材に取り付けた受け材部間に、上面より幅の狭い下面を下側にした中央主材部を、受け材部の切断面に中央主材部の切断面を重ねて設置することを特徴とする床断熱構造の形成方法。
【発明の詳細な説明】
【技術分野】
【０００１】
本発明は、木造建築物の並設された床構造部材間に嵌め込み設置される建築用断熱板、それを用いた床断熱構造及びその形成方法に関する。
【背景技術】
【０００２】
従来、木造建築物の並設された床構造部材間に嵌め込み設置される建築用断熱板としては、合成樹脂発泡板を、その肉厚途中まで垂直に形成した切り込みにより、床構造部材間に嵌め込み設置する断熱部と、この断熱部の受け材として使用する受け部とに分離可能としたものが知られている（例えば、特許文献１参照）。この従来の建築用断熱板は、例えば大引き上に掛け渡して並設された根太間に断熱部を嵌め込み設置するに際し、断熱部から分離した受け部を大引き上に設置しておき、根太間に嵌め込み設置する断熱部をこの受け部上に重ねることで、断熱部の上面位置を根太の上面位置と揃えることができるようにしたものである。
【０００３】
【特許文献１】実願昭６１−１９９７７８号（実開昭６３−１０８９０５号）のマイクロフィルム
【発明の開示】
【発明が解決しようとする課題】
【０００４】
しかしながら、上記従来の建築用断熱板の場合、建築用断熱板の厚さが根太の太さ（断面高さ）の１／２である場合には自動的に断熱部の上面を根太の上面と揃えることができる。しかし、建築用断熱板の厚さが根太の太さの１／２未満の場合には、受け部を大引きの上面より浮かせて根太の側面に取り付けなければ、断熱部の上面を根太の上面と揃えることができない。この場合、受け部を取り付ける位置を調整するのに手間がかかり、作業性が悪い問題がある。
【０００５】
本発明は、上記従来の問題点に鑑みてなされたもので、並設された床構造部材間に合成樹脂発泡体製の建築用断熱板を嵌め込み設置するに際し、床構造部材の太さに拘わらず、建築用断熱板の上面位置と床構造部材の上面位置とを容易に揃えることができるようにすることを目的とする。
【課題を解決するための手段】
【０００６】
本発明の第１は、建物の並設された床構造部材間に嵌め込み設置される建築用断熱板において、嵌め込み設置する床構造部材間の間隔と同等の幅を有する合成樹脂発泡板で構成されていると共に、幅方向に対向する両側縁部である受け材部と、中央部分である中央主材部とに、それぞれ、両者を分離する切り込み又は分離可能とする切り込みによる切断面が形成されており、この切断面が、それぞれ、中央主材部の下面の幅を上面の幅より狭くし、両受け材部の上面の幅を下面の幅より狭くする斜面状又は段状をなすことを特徴とする建築用断熱板を提供するものである。
【０００７】
また、本発明の第２は、建物の並設された床構造部材間に建築用断熱板を嵌め込み設置した床断熱構造において、本発明の第１に係る建築用断熱板の中央主材部と分離した両受け材部が、下面より幅の狭い上面を上側にし、上面位置を床構造部材の上面位置に揃え、切断面同士を向き合わせて、対向する床構造部材にそれぞれ取り付けられており、この床構造部材に取り付けられ受け材部間に、上面より幅の狭い下面を下側にした中央主材部が、受け材部の切断面に中央主材部の切断面を重ねて支持されていることを特徴とする床断熱構造を提供するものである。
【０００８】
さらに本発明の第３は、建物の並設された床構造部材間に建築用断熱板を嵌め込み設置する床断熱構造の形成方法において、本発明の第１に係る建築用断熱板の中央主材部と分離した両受け材部を、下面より幅の狭い上面を上側にし、上面位置を床構造部材の上面位置に揃え、切断面同士を向き合わせて、対向する床構造部材にそれぞれ取り付け、この床構造部材に取り付けた受け材部間に、上面より幅の狭い下面を下側にした中央主材部を、受け材部の切断面に中央主材部の切断面を重ねて設置することを特徴とする床断熱構造の形成方法を提供するものである。
【発明の効果】
【０００９】
本発明に係る建築用断熱板は、中央主材部と分離した両受け材部を、下面より幅の狭い上面を上側にし、対向する床構造部材に切断面同士を向き合わせてそれぞれ取り付け、この床構造部材に取り付けた受け材部間に、上面より幅の狭い下面を下側にした中央主材部を、受け材部の切断面に中央主材部の切断面を重ねて設置することで、中央主材部と両受け材部を水平方向に突き合わせた状態で設置することができる。したがって、本発明に係る床断熱構造の形成方法のように、受け材部を床構造部材に取り付ける際に、受け材部の上面位置を床構造部材の上面位置に揃えて取り付けることで、中央主材部の上面位置も床構造部材の上面位置と揃えることができ、受け材部の取り付け位置の調整が容易となる。また、本発明に係る床断熱構造は、上記のような受け材部の取り付け位置の調整が容易な本発明に係る床断熱構造の形成方法により容易に形成することができる。
【発明を実施するための最良の形態】
【００１０】
本発明を図面に基づいて更に説明する。なお、以下に説明する図面において、同じ符号は同様の構成要素を示す。
【００１１】
まず、本発明に係る建築用断熱板について説明する。
【００１２】
図１は本発明に係る建築用断熱板の一例を示す斜視図、図２は中央主材部と受け材部を離間させた状態の正面図、図３は切断面の他の形状例を示す図である。
【００１３】
本発明に係る建築用断熱板１は、例えば太引きや根太など、間隔を開けて並設される床構造部材２，２，…（図３、図４参照）間に嵌め込み設置されるもので、嵌め込み設置される床構造部材２，２間の間隔Ｗ’（図４参照）と同等の幅Ｗを有する合成樹脂発泡板で構成されている。なお、Ｗ′と同等とは、Ｗ’±５ｍｍの範囲内であることをいう。
【００１４】
本発明に係る建築用断熱板１を構成する合成樹脂発泡板としては、例えばポリスチレン系発泡板、ポリエチレン系発泡板、ポリプロピレン系発泡板、ポリウレタン系発泡板、フェーノール樹脂系発泡板などを用いることができるが、吸水性が低く、断熱性に優れることから、ポリスチレンの発泡板が好ましい。また、ビーズ発泡成形板でも押出発泡成形板でもよいが、耐圧性に優れることから、押出発泡成形板が好ましい。
【００１５】
本例の建築用断熱板１は、上記合成樹脂発泡板を、斜め内向きの切り込みにより、中央部分である中央主材部３と、幅方向に対向する両側縁部である受け材部４，４とに分離したものとなっている。中央主材部３と両側縁部は、上記切り込みによって形成された、中央主材部３の左右の側面である切断面５，５と、左右の受け材部４の内側の側面である切断面６，６とを介して突き合わされている。
【００１６】
上記中央主材部３と左右の受け材部４，４とは、両者間に介在する中央主材部３の切断面５，５と受け材部４，４の切断面６，６を重ねて突き合わせることで１枚の板状をなすものとなっている。また、重なり合う中央主材部３の切断面５，５と受け材部４，４の切断面６，６は斜め内向きの切り込みによって形成された斜面状となっていることから、中央主材部３の下面の幅Ｗ2は上面の幅Ｗ1より狭く、受け材部４，４の上面の幅Ｗ3は下面の幅Ｗ4より狭くなっている。このため、中央主材部３と両受け材部４，４は、中央主材部３の切断面５，５を両受け材部４，４の切断面６，６上に乗せるようにして重ねることで１枚の板状に組み合わされるものとなっている。
【００１７】
本例の建築用断熱板１における中央主材部３の切断面５，５と受け材部４，４の切断面６，６は斜面状となっているが、中央主材部３の下面の幅Ｗ2が上面の幅Ｗ1より狭く、受け材部４，４の上面の幅Ｗ3が下面の幅Ｗ4より狭くなるものであれば、斜面状の他、図３（ａ）に示されるような段状とすることもできる。図３（ａ）に示される段は１段であるが、複数段の段状とすることもできる。また、本例の建築用断熱板１における中央主材部３の切断面５，５と受け材部４，４の切断面６，６は、本建築用断熱板１の厚さ方向全体が傾斜した平坦な斜面状となっているが、図３（ｂ）に示されるように、厚さ方向の一部を斜面状としたり、図３（ｃ）に示されるように、湾曲した斜面状とすることもできる。さらに、図３（ｄ）に示されるように、段状と斜面状の形態を併せ持つ構成とすることもできる。
【００１８】
本例の建築用断熱板１の幅方向左側に位置する切断面５，６と右側に位置する切断面５，６は、左右対称となる形状となっているが、中央主材部３の下面の幅Ｗ2が上面の幅Ｗ1より狭く、受け材部４，４の上面の幅Ｗ3が下面の幅Ｗ4より狭くなる範囲で、両者の形状を非対称形状とすることもできる。また、左右の切断面５，６と５，６は、本例のように、中央主材部３と受け材部４，４を分離させる切り込みによるものであってもよいが、施工時に手で分離可能とする切り込み、すなわち中央主材部３と受け材部４，４間に手で引きちぎることができる程度の連結部を残した切り込みによるものであってもよい。中央主材部３と受け材部４，４を分離可能に連結しておくと、本建築用断熱板１の輸送時や現場での持ち運び時の取り扱い性が向上する。
【００１９】
次に、本発明に係る床断熱構造及びその形成方法について説明する。
【００２０】
図４は並設された床構造部材に本発明に係る建築用断熱板の受け材部を取り付けた状態の斜視図、図５は図４に示される受け材部間に中央主材部を設置して形成した本発明に係る床断熱構造を示す斜視図である。
【００２１】
本発明に係る床断熱構造の形成に際しては、まず、図１に示される本発明に係る建築用断熱板１の受け材部４，４を、図４に示されるように、間隔を開けて並設された床構造部材２，２，…のうち、対向する床構造部材２，２にそれぞれ取り付ける。受け材部４，４は、下面より幅の狭い上面を上側にし、上面位置を、受け材部４，４を取り付ける床構造部材２，２の上面位置に揃え、切断面６，６同士を向き合わせてそれぞれ取り付ける。受け材部４，４の上面位置と、これを取り付ける床構造部材２，２の上面位置とを揃えることは、目視や指先で両者間の段差の有無を探ることで容易に行うことができる。床構造部材２，２，…は、通常、大引き又は根太である。
【００２２】
受け材部４の取り付けは、中央主材部３と受け材部４，４が分離可能に連結されている場合、これを分離して行う。また、受け材部４，４は、例えば釘、ねじ、接着剤、粘着テープ（片面又は両面テープ）などで床構造部材２，２に取り付けることができる。
【００２３】
上記受け材部４，４の床構造部材２，２への取り付け後、図５に示されるように、対向して取り付けられた受け材部４，４間へ、中央主材部３を、上面より幅の狭い下面を下側にし、受け材部４，４の切断面６，６に中央主材部３の切断面５，５を重ねるようにして設置する。これにより、中央主材部３は、上面位置が、受け材部４，４が取り付けられた床構造部材２，２の上面位置と揃った状態で、左右の受け材部４，４で支持される。また、床構造部材２，２間は、中央主材部３の切断面５，５と受け材部４，４の切断面６，６を重ねて突き合わされた１枚の板状をなす本建築用断熱板１が嵌め込まれた状態となり、断熱構造が形成される。
【００２４】
本建築用断熱板１の幅Ｗ（図１参照）を床構造部材２，２間の間隔Ｗ’（図４参照）より若干広くしておくと、中央主材部３が若干上方に浮き上がった状態で受け材部４，４間に支持される。この中央主材部３は、床構造部材２，２，…上への床材又は床下地材の取り付けに伴って押し込まれ、床材又は床下地材と密着して断熱性を高めることができるので、本建築用断熱板１の幅Ｗを床構造部材２，２間の間隔Ｗ’より若干広くしておくことが好ましい。また、中央主材部３の切断面５，５と受け材部４，４の切断面６，６の両者又は一方に滑り止め状の凹凸を形成しておくと、受け材部４，４間に支持される中央主材部３の振動などによるずれを生じにくくすることができる。
【００２５】
図５に示される床断熱構造において、上面に露出している、中央主材部３の切断面５，５と受け材部４，４の切断面６，６との合わせ目を粘着テープなどで目張りし、断熱性を高めることもできる。
【図面の簡単な説明】
【００２６】
【図１】本発明に係る建築用断熱板の一例を示す斜視図である。
【図２】中央主材部と受け材部を離間させた状態の正面図である。
【図３】切断面の他の形状例を示す図である。
【図４】並設された床構造部材に本発明に係る建築用断熱板の受け材部を取り付けた状態の斜視図である。
【図５】図４に示される受け材部間に中央主材部を設置して形成した本発明に係る床断熱構造を示す斜視図である。
【符号の説明】
【００２７】
１  建築用断熱板
２  床構造部材
３  中央主材部
４  受け材部
５，６  切断面
【図１】
2010043423.tif 000003
【図２】
2010043423.tif 000004
【図３】
2010043423.tif 000005
【図４】
2010043423.tif 000006
【図５】
2010043423.tif 000007